【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のワイヤレスデバイスによって、ワイヤレスワイドエリアネットワーク（ＷＷＡＮ）を介して構成された第１のベアラを介してデータを通信することと、
前記第１のワイヤレスデバイスにおいて、前記第１のベアラを介して前記データをサービスするための１つまたは複数のサービス品質（ＱｏＳ）パラメータの第１のセットを識別することと、１つまたは複数のＱｏＳパラメータの前記第１のセットは、ＷＷＡＮについての第１のＱｏＳ要件を満たす、
接続性要求メッセージを第２のワイヤレスデバイスに送信することと、
前記接続性要求メッセージに応答して、前記第２のワイヤレスデバイスから、ワイヤレスローカルエリアネットワーク（ＷＬＡＮ）を介して構成された第２のベアラを介して前記データの少なくとも一部をサービスするための１つまたは複数のＱｏＳパラメータの第２のセットを受信することと、１つまたは複数のＱｏＳパラメータの前記第２のセットは、前記接続性要求メッセージおよび１つまたは複数のＱｏＳパラメータの前記第１のセットと１つまたは複数のＱｏＳパラメータの前記第２のセットとの間の関連付けに基づいて前記第２のワイヤレスデバイスにおいて決定され、１つまたは複数のＱｏＳパラメータの前記第２のセットは、ＷＬＡＮについての第２のＱｏＳ要件を満たす、
前記第１のワイヤレスデバイスによって、１つまたは複数のＱｏＳパラメータの前記決定された第２のセットを使用して、前記ＷＬＡＮを介して構成された前記第２のベアラを介して前記データの少なくとも前記一部を通信することと
を備える、方法。
【請求項２】
１つまたは複数のＱｏＳパラメータの前記第２のセットを決定することは、
１つまたは複数のＱｏＳパラメータの前記第１のセットを１つまたは複数のＱｏＳパラメータの前記第２のセットにマッピングすることを備える、請求項１に記載の方法。
【請求項３】
前記マッピングは、１つまたは複数のＱｏＳパラメータの前記第１のセットと１つまたは複数のＱｏＳパラメータの前記第２のセットとの間の前記関連付けに従って構成された静的マッピングを備える、請求項２に記載の方法。
【請求項４】
前記マッピングは半静的マッピングを備える、請求項２に記載の方法。
【請求項５】
前記マッピングは、前記ＷＷＡＮのオペレーション、アドミニストレーション、およびメンテナンス（ＯＡＭ）構成に少なくとも部分的に基づく、請求項２に記載の方法。
【請求項６】
前記マッピングは、
オープンモバイルアライアンスデバイス管理（ＯＭＡ  ＤＭ）メッセージ中で、１つまたは複数のＱｏＳパラメータの前記第２のセットをサーバから受信することを備える、請求項２に記載の方法。
【請求項７】
前記マッピングは、
１つまたは複数のＱｏＳパラメータの前記第２のセットをユニバーサル加入者識別モジュール（ＵＳＩＭ）から取り出すことを備える、請求項２に記載の方法。
【請求項８】
１つまたは複数のＱｏＳパラメータの前記第１のセットと１つまたは複数のＱｏＳパラメータの前記第２のセットとの間の前記マッピングを調節することをさらに備える、請求項２に記載の方法。
【請求項９】
前記第２のベアラの確立に関連して、１つまたは複数のＱｏＳパラメータの前記第２のセットを、前記第１のワイヤレスデバイスから第２のデバイスに送信することをさらに備える、請求項１に記載の方法。
【請求項１０】
前記第１のベアラは、モバイルデバイス用の発展型パケットシステム（ＥＰＳ）ベアラを備え、前記第２のデバイスは前記モバイルデバイスを備え、１つまたは複数のＱｏＳパラメータの前記第２のセットは、前記ＷＷＡＮの非アクセス層（ＮＡＳ）レイヤを介して送信される、請求項９に記載の方法。
【請求項１１】
前記第１のベアラはモバイルデバイス用の発展型パケットシステム（ＥＰＳ）ベアラを備え、前記第２のデバイスは前記モバイルデバイスを備え、１つまたは複数のＱｏＳパラメータの前記第２のセットは、前記ＷＷＡＮの無線リソース制御（ＲＲＣ）レイヤを介して送信される、請求項９に記載の方法。
【請求項１２】
前記第１のベアラは発展型パケットシステム（ＥＰＳ）ベアラを備え、前記第１のワイヤレスデバイスはモビリティ管理エンティティを備え、前記第２のデバイスはｅノードＢを備え、１つまたは複数のＱｏＳパラメータの前記第２のセットは、前記ＷＷＡＮのＳ１インターフェースを介して送信される、請求項９に記載の方法。
【請求項１３】
前記第１のベアラは発展型パケットシステム（ＥＰＳ）ベアラを備え、１つまたは複数のＱｏＳパラメータの前記第２のセットはコアネットワークインターフェースを介して送信される、請求項９に記載の方法。
【請求項１４】
前記第１のベアラは無線ベアラを備え、前記第１のワイヤレスデバイスはサービング汎用パケット無線サービスサポートノードを備え、前記第２のデバイスは無線ネットワークコントローラを備え、１つまたは複数のＱｏＳパラメータの前記第２のセットは、前記ＷＷＡＮのＩｕインターフェースを介して送信される、請求項９に記載の方法。
【請求項１５】
前記第１のベアラの確立に関連して、前記第１のワイヤレスデバイスにおいて１つまたは複数のＱｏＳパラメータの前記第１のセットを受信することをさらに備える、請求項１に記載の方法。
【請求項１６】
前記第１のベアラは発展型パケットシステム（ＥＰＳ）ベアラを備え、前記第１のワイヤレスデバイスはユーザ機器（ＵＥ）を備え、１つまたは複数のＱｏＳパラメータの前記第１のセットは、非アクセス層（ＮＡＳ）レイヤを介して受信されるＱｏＳクラス識別子（ＱＣＩ）を備える、請求項１５に記載の方法。
【請求項１７】
前記第１のベアラは無線ベアラを備え、前記第１のワイヤレスデバイスはユーザ機器（ＵＥ）を備え、１つまたは複数のＱｏＳパラメータの前記第１のセットは、無線リソース制御（ＲＲＣ）レイヤを介して受信される論理チャネル優先度を備える、請求項１５に記載の方法。
【請求項１８】
前記第１のワイヤレスデバイスはユーザ機器（ＵＥ）を備え、前記方法は、
パケットデータネットワーク接続性要求メッセージ、アタッチ要求メッセージ、ベアラリソース割振りメッセージ、またはベアラコンテキスト修正要求メッセージのうちの１つまたは複数に関連して、ＱｏＳパラメータの要求される第２のセットを前記ＷＷＡＮに送信することをさらに備える、請求項１に記載の方法。
【請求項１９】
１つまたは複数のＱｏＳパラメータの前記第１のセットは、ＱｏＳクラス識別子（ＱＣＩ）、アクセスクラス優先度、論理チャネル優先度、トラフィッククラス、またはトラフィック処理優先度のうちの１つまたは複数を備える、請求項１に記載の方法。
【請求項２０】
１つまたは複数のＱｏＳパラメータの前記第２のセットは、アクセスカテゴリ（ＡＣ）、最大バッファサイズ、ビットレート、またはレイテンシのうちの１つまたは複数を備える、請求項１に記載の方法。
【請求項２１】
ワイヤレス通信を管理するための装置であって、
少なくとも１つのプロセッサと、
前記少なくとも１つのプロセッサと通信可能に結合されたメモリとを備え、ここにおいて、前記少なくとも１つのプロセッサは、
第１のワイヤレスデバイスにおいて、ワイヤレスワイドエリアネットワーク（ＷＷＡＮ）を介して構成された第１のベアラを介してデータを通信し、
前記第１のワイヤレスデバイスにおいて、前記第１のベアラを介して前記データをサービスするための１つまたは複数のサービス品質（ＱｏＳ）パラメータの第１のセットを識別し、１つまたは複数のＱｏＳパラメータの前記第１のセットは、ＷＷＡＮについての第１のＱｏＳ要件を満たす、
接続性要求メッセージを第２のワイヤレスデバイスに送信し、
前記接続性要求メッセージに応答して、前記第２のワイヤレスデバイスから、ワイヤレスローカルエリアネットワーク（ＷＬＡＮ）を介して構成された第２のベアラを介して前記データの少なくとも一部をサービスするための１つまたは複数のＱｏＳパラメータの第２のセットを受信し、１つまたは複数のＱｏＳパラメータの前記第２のセットは、前記接続性要求メッセージおよび１つまたは複数のＱｏＳパラメータの前記第１のセットと１つまたは複数のＱｏＳパラメータの前記第２のセットとの間の関連付けに基づいて前記第２のワイヤレスデバイスにおいて決定され、１つまたは複数のＱｏＳパラメータの前記第２のセットは、ＷＬＡＮについての第２のＱｏＳ要件を満たす、
前記第１のワイヤレスデバイスにおいて、１つまたは複数のＱｏＳパラメータの前記決定された第２のセットを使用して、前記ＷＬＡＮを介して構成された前記第２のベアラを介して前記データの少なくとも前記一部を通信するための、前記メモリ上に記憶されたコードを実行するように構成される、装置。
【請求項２２】
前記少なくとも１つのプロセッサは、１つまたは複数のＱｏＳパラメータの前記第２のセットを、
１つまたは複数のＱｏＳパラメータの前記第１のセットを１つまたは複数のＱｏＳパラメータの前記第２のセットにマッピングすることによって決定するようにさらに構成される、請求項２１に記載の装置。
【請求項２３】
前記マッピングは、１つまたは複数のＱｏＳパラメータの前記第１のセットと１つまたは複数のＱｏＳパラメータの前記第２のセットとの間の前記関連付けに従って構成された静的マッピングを備える、請求項２２に記載の装置。
【請求項２４】
前記マッピングは半静的マッピングを備える、請求項２２に記載の装置。
【請求項２５】
前記少なくとも１つのプロセッサは、
１つまたは複数のＱｏＳパラメータの前記第１のセットと１つまたは複数のＱｏＳパラメータの前記第２のセットとの間の前記マッピングを調節するようにさらに構成される、請求項２２に記載の装置。
【請求項２６】
前記少なくとも１つのプロセッサは、
前記第２のベアラの確立に関連して、１つまたは複数のＱｏＳパラメータの前記第２のセットを、前記装置から第２のデバイスに送信するようにさらに構成される、請求項２１に記載の装置。
【請求項２７】
前記第１のベアラは、モバイルデバイス用の発展型パケットシステム（ＥＰＳ）ベアラを備え、前記第２のデバイスは前記モバイルデバイスを備え、１つまたは複数のＱｏＳパラメータの前記第２のセットは、前記ＷＷＡＮの非アクセス層（ＮＡＳ）レイヤを介して送信される、請求項２６に記載の装置。
【請求項２８】
前記第１のベアラはモバイルデバイス用の発展型パケットシステム（ＥＰＳ）ベアラを備え、前記第２のデバイスは前記モバイルデバイスを備え、１つまたは複数のＱｏＳパラメータの前記第２のセットは、前記ＷＷＡＮの無線リソース制御（ＲＲＣ）レイヤを介して送信される、請求項２６に記載の装置。
【請求項２９】
前記第１のベアラは発展型パケットシステム（ＥＰＳ）ベアラを備え、前記装置はモビリティ管理エンティティを備え、前記第２のデバイスはｅノードＢを備え、１つまたは複数のＱｏＳパラメータの前記第２のセットは、前記ＷＷＡＮのＳ１インターフェースを介して送信される、請求項２６に記載の装置。
【請求項３０】
前記第１のベアラは発展型パケットシステム（ＥＰＳ）ベアラを備え、１つまたは複数のＱｏＳパラメータの前記第２のセットはコアネットワークインターフェースを介して送信される、請求項２６に記載の装置。
【請求項３１】
前記少なくとも１つのプロセッサは、
前記第１のベアラの確立に関連して、前記装置において１つまたは複数のＱｏＳパラメータの前記第１のセットを受信するようにさらに構成される、請求項２１に記載の装置。
【請求項３２】
前記装置はユーザ機器（ＵＥ）を備え、前記少なくとも１つのプロセッサは、
パケットデータネットワーク接続性要求メッセージ、アタッチ要求メッセージ、ベアラリソース割振りメッセージ、またはベアラコンテキスト修正要求メッセージのうちの１つまたは複数に関連して、ＱｏＳパラメータの要求される第２のセットを前記ＷＷＡＮに送信するようにさらに構成される、請求項２１に記載の装置。
【請求項３３】
１つまたは複数のＱｏＳパラメータの前記第１のセットは、ＱｏＳクラス識別子（ＱＣＩ）、アクセスクラス優先度、論理チャネル優先度、トラフィッククラス、またはトラフィック処理優先度のうちの１つまたは複数を備える、請求項２１に記載の装置。
【請求項３４】
１つまたは複数のＱｏＳパラメータの前記第２のセットは、アクセスカテゴリ（ＡＣ）、最大バッファサイズ、ビットレート、またはレイテンシのうちの１つまたは複数を備える、請求項２１に記載の装置。
【請求項３５】
ワイヤレス通信のための装置であって、
第１のワイヤレスデバイスにおいて、ワイヤレスワイドエリアネットワーク（ＷＷＡＮ）を介して構成された第１のベアラを介してデータを通信するための手段と、
前記第１のワイヤレスデバイスにおいて、前記第１のベアラを介して前記データをサービスするための１つまたは複数のサービス品質（ＱｏＳ）パラメータの第１のセットを識別するための手段と、１つまたは複数のＱｏＳパラメータの前記第１のセットは、ＷＷＡＮについての第１のＱｏＳ要件を満たす、
接続性要求メッセージを第２のワイヤレスデバイスに送信するための手段と、
前記送信された接続性要求メッセージに応答して、前記第２のワイヤレスデバイスから、ワイヤレスローカルエリアネットワーク（ＷＬＡＮ）を介して構成された第２のベアラを介して前記データの少なくとも一部をサービスするための１つまたは複数のＱｏＳパラメータの第２のセットを受信するための手段と、１つまたは複数のＱｏＳパラメータの前記第２のセットは、前記接続性要求メッセージおよび１つまたは複数のＱｏＳパラメータの前記第１のセットと１つまたは複数のＱｏＳパラメータの前記第２のセットとの間の関連付けに基づいて前記第２のワイヤレスデバイスにおいて決定され、１つまたは複数のＱｏＳパラメータの前記第２のセットは、ＷＬＡＮについての第２のＱｏＳ要件を満たす、
前記第１のワイヤレスデバイスにおいて、１つまたは複数のＱｏＳパラメータの前記決定された第２のセットを使用して、前記ＷＬＡＮを介して構成された前記第２のベアラを介して前記データの少なくとも前記一部を通信するための手段と
を備える装置。
【請求項３６】
１つまたは複数のＱｏＳパラメータの前記第２のセットを決定するための前記手段は、
１つまたは複数のＱｏＳパラメータの前記第１のセットを１つまたは複数のＱｏＳパラメータの前記第２のセットにマッピングするための手段を備える、請求項３５に記載の装置。
【請求項３７】
前記マッピングは、１つまたは複数のＱｏＳパラメータの前記第１のセットと１つまたは複数のＱｏＳパラメータの前記第２のセットとの間の前記関連付けに従って構成された静的マッピングを備える、請求項３６に記載の装置。
【請求項３８】
前記マッピングは半静的マッピングを備える、請求項３６に記載の装置。
【請求項３９】
前記マッピングは、前記ＷＷＡＮのオペレーション、アドミニストレーション、およびメンテナンス（ＯＡＭ）構成に少なくとも部分的に基づく、請求項３６に記載の装置。
【請求項４０】
マッピングするための前記手段は、
オープンモバイルアライアンスデバイス管理（ＯＭＡ  ＤＭ）メッセージ中で、１つまたは複数のＱｏＳパラメータの前記第２のセットをサーバから受信するための手段を備える、請求項３６に記載の装置。
【請求項４１】
マッピングするための前記手段は、
１つまたは複数のＱｏＳパラメータの前記第２のセットをユニバーサル加入者識別モジュール（ＵＳＩＭ）から取り出すための手段を備える、請求項３６に記載の装置。
【請求項４２】
１つまたは複数のＱｏＳパラメータの前記第１のセットと１つまたは複数のＱｏＳパラメータの前記第２のセットとの間の前記マッピングを調節するための手段をさらに備える、請求項３６に記載の装置。
【請求項４３】
前記第２のベアラの確立に関連して、１つまたは複数のＱｏＳパラメータの前記第２のセットを、前記装置から第２のデバイスに送信するための手段をさらに備える、請求項３５に記載の装置。
【請求項４４】
前記第１のベアラは、モバイルデバイス用の発展型パケットシステム（ＥＰＳ）ベアラを備え、前記第２のデバイスは前記モバイルデバイスを備え、１つまたは複数のＱｏＳパラメータの前記第２のセットは、前記ＷＷＡＮの非アクセス層（ＮＡＳ）レイヤを介して送信される、請求項４３に記載の装置。
【請求項４５】
前記第１のベアラはモバイルデバイス用の発展型パケットシステム（ＥＰＳ）ベアラを備え、前記第２のデバイスは前記モバイルデバイスを備え、１つまたは複数のＱｏＳパラメータの前記第２のセットは、前記ＷＷＡＮの無線リソース制御（ＲＲＣ）レイヤを介して送信される、請求項４３に記載の装置。
【請求項４６】
前記第１のベアラは発展型パケットシステム（ＥＰＳ）ベアラを備え、前記装置はモビリティ管理エンティティを備え、前記第２のデバイスはｅノードＢを備え、１つまたは複数のＱｏＳパラメータの前記第２のセットは、前記ＷＷＡＮのＳ１インターフェースを介して送信される、請求項４３に記載の装置。
【請求項４７】
前記第１のベアラは発展型パケットシステム（ＥＰＳ）ベアラを備え、１つまたは複数のＱｏＳパラメータの前記第２のセットはコアネットワークインターフェースを介して送信される、請求項４３に記載の装置。
【請求項４８】
前記第１のベアラは無線ベアラを備え、前記装置はサービング汎用パケット無線サービスサポートノードを備え、前記第２のデバイスは無線ネットワークコントローラを備え、１つまたは複数のＱｏＳパラメータの前記第２のセットは、前記ＷＷＡＮのＩｕインターフェースを介して送信される、請求項４３に記載の装置。
【請求項４９】
前記第１のベアラの確立に関連して、前記装置において１つまたは複数のＱｏＳパラメータの前記第１のセットを受信するための手段をさらに備える、請求項３５に記載の装置。
【請求項５０】
前記第１のベアラは発展型パケットシステム（ＥＰＳ）ベアラを備え、前記装置はユーザ機器（ＵＥ）を備え、１つまたは複数のＱｏＳパラメータの前記第１のセットは、非アクセス層（ＮＡＳ）レイヤを介して受信されるＱｏＳクラス識別子（ＱＣＩ）を備える、請求項４９に記載の装置。
【請求項５１】
前記第１のベアラは無線ベアラを備え、前記装置はユーザ機器（ＵＥ）を備え、１つまたは複数のＱｏＳパラメータの前記第１のセットは、無線リソース制御（ＲＲＣ）レイヤを介して受信される論理チャネル優先度を備える、請求項４９に記載の装置。
【請求項５２】
前記装置はユーザ機器（ＵＥ）を備え、前記装置は、
パケットデータネットワーク接続性要求メッセージ、アタッチ要求メッセージ、ベアラリソース割振りメッセージ、またはベアラコンテキスト修正要求メッセージのうちの１つまたは複数に関連して、ＱｏＳパラメータの要求される第２のセットを前記ＷＷＡＮに送信するための手段をさらに備える、請求項３５に記載の装置。
【請求項５３】
１つまたは複数のＱｏＳパラメータの前記第１のセットは、ＱｏＳクラス識別子（ＱＣＩ）、アクセスクラス優先度、論理チャネル優先度、トラフィッククラス、またはトラフィック処理優先度のうちの１つまたは複数を備える、請求項３５に記載の装置。
【請求項５４】
１つまたは複数のＱｏＳパラメータの前記第２のセットは、アクセスカテゴリ（ＡＣ）、最大バッファサイズ、ビットレート、またはレイテンシのうちの１つまたは複数を備える、請求項３５に記載の装置。
【請求項５５】
少なくとも１つのプロセッサに、
第１のワイヤレスデバイスにおいて、ワイヤレスワイドエリアネットワーク（ＷＷＡＮ）を介して構成された第１のベアラを介してデータを通信させ、
前記第１のワイヤレスデバイスにおいて、前記第１のベアラを介して前記データをサービスするための１つまたは複数のサービス品質（ＱｏＳ）パラメータの第１のセットを識別させ、１つまたは複数のＱｏＳパラメータの前記第１のセットは、ＷＷＡＮについての第１のＱｏＳ要件を満たす、
接続性要求メッセージを第２のワイヤレスデバイスに送信させ、
前記接続性要求メッセージに応答して、前記第２のワイヤレスデバイスから、ワイヤレスローカルエリアネットワーク（ＷＬＡＮ）を介して構成された第２のベアラを介して前記データの少なくとも一部をサービスするための１つまたは複数のＱｏＳパラメータの第２のセットを受信させ、１つまたは複数のＱｏＳパラメータの前記第２のセットは、前記接続性要求メッセージおよび１つまたは複数のＱｏＳパラメータの前記第１のセットと１つまたは複数のＱｏＳパラメータの前記第２のセットとの間の関連付けに基づいて前記第２のワイヤレスデバイスにおいて決定され、１つまたは複数のＱｏＳパラメータの前記第２のセットは、ＷＬＡＮについての第２のＱｏＳ要件を満たす、
前記第１のワイヤレスデバイスにおいて、１つまたは複数のＱｏＳパラメータの前記決定された第２のセットを使用して、前記ＷＬＡＮを介して構成された前記第２のベアラを介して前記データの少なくとも前記一部を通信させるように構成されたコンピュータ可読コードを備える非一時的コンピュータ可読媒体を備えるコンピュータプログラム製品。